(57)【特許請求の範囲】
【請求項１】
少なくとも給油量、又は給油金額を設定できる給油選択手段と、広告手段とを有するセルフサービス給油装置において、給油の開始および終了を検知する給油開始終了検出手段と、前記給油選択手段によって選択された給油量、又は給油金額から給油時間を算出する給油時間算出手段と、広告時間の異なる複数の広告情報を収納する広告情報収納手段と、前記給油時間に最も近い時間を有する前記広告情報を前記広告情報収納手段の中から選択する広告情報選択手段とを有することを特徴とするセルフサービス給油装置。
【請求項２】
満タンを指定した場合、前記給油時間算出手段が、満タンを指定した場合の給油時間の一定期間内における平均値を前記給油時間として算出する請求項１に記載のセルフサービス給油装置。
【請求項３】
前記開始終了検出手段の終了信号により前記広告情報を終了状態または途中終了状態から前記広告情報の始まりに戻す頭出し機能を有する請求項１又は請求項２に記載のセルフサービス給油装置。
【請求項４】
前記広告情報収納手段が、広告内容が異なり、かつ前記広告内容に対し各々広告時間の異なる複数の広告情報を収納する請求項１乃至請求項３のいずれかに記載のセルフサービス給油装置。
【請求項５】
客が前記広告内容を選択する客広告選択手段を備え、前記広告情報選択手段が前記客広告選択手段の選択に従って前記広告内容を選択可能とする請求項４に記載のセルフサービス給油装置。
【請求項６】
雨天時に対応した内容が納められた雨天対応広告情報および雨天検出手段を備え、前記広告情報選択手段が、雨天時または雨天後設定時間内は、前記雨天対応広告情報を指定順位に従って選択可能とする請求項４に記載のセルフサービス給油装置。
【発明の詳細な説明】
【０００１】
【発明の属する技術分野】
本発明は、ガソリンスタンドなどに設置されるセルフサービス給油装置に関する。
【０００２】
【従来の技術】
最近、セルフサービス給油は、給油が割安ということもあり、セルフサービス給油のガソリンスタンドの設置件数が増えている。セルフサービス給油装置（以下、給油装置と記す）の構成を図６を用いて説明する。給油装置１の操作手順の概略は、客が給油装置１に取り付けられた給油選択装置２の操作パネル（図７を参照）によって、油種選択部２−１で油種（軽油、レギュラー、ハイオクなど）を選択し、次に給油量選択部２−２で給油量（１０リットル、２０リットルなど）、或いは満タン指定部２−３、或いは給油金額選択部２−４で給油金額（１０００円、２０００円など）を選択してから、ノズル３を給油装置１から取外し、自分の自動車４などの給油口にノズル３を差し込んで給油を開始して、給油が終了するとノズル３を給油装置にもどして終了となる。この場合、客は給油している間、安全のため自動車の側で待機して給油しなければならない。よって、その間、客は暇をもてあそぶ状態になり、従来から客を飽きさせないために、スピーカ５から音楽を流したり、広告を流していた。（例えば特許文献１を参照）
【０００３】
【特許文献１】
特開平２−２８９８９３号公報（第３頁、図１）
【０００４】
【発明が解決しようとする課題】
しかし、従来は広告する時間が給油時間に関係なく、予め設定された時間の広告を流していたため、給油時間の短い客には広告の途中までしか聞けない、或いは途中までしか見れない広告を流すことになり、一方、給油時間の長い客には広告が早く終了してしまい、せっかくの広告する機会を逃していた。また、車検が終了したばかりの客に車検の広告を流すなど、客の好みに関係なく広告を流したり、或いは、天候によって売れ筋商品が異なるので、天候に合わせた内容の広告をながすべきにも関わらず、天候に関係ない広告をながして、売上増の機会を逃していた。
【０００５】
本発明は上述のような事情から成されたものであり、本発明の目的は、給油時間にあわせた長さの広告を流し、また、客の好みに応じた広告をながし、或いは、天候に応じた広告を流すことのできるセルフサービス給油装置を提供することにある。
【０００６】
【課題を解決するための手段】
本発明は、少なくとも給油量または給油金額を設定できる給油選択手段と、広告手段とを有するセルフサービス給油装置に関するものであり、本発明の上記目的は、給油の開始および終了を検知する給油開始終了検出手段と、前記給油選択手段によって選択された給油量、又は給油金額から給油時間を算出する給油時間算出手段と、広告時間の異なる複数の広告情報を収納する広告情報収納手段と、前記給油時間に最も近い時間を有する前記広告情報を前記広告情報収納手段の中から選択する広告情報選択手段とを有することによって達成される。
【０００７】
さらに、満タンを指定した場合、前記給油時間算出手段が、満タンを指定した場合の給油時間の一定期間内における平均値を前記給油時間として算出することによって、或いは、前記開始終了検出手段の終了信号により前記広告情報を終了状態または途中終了状態から前記広告情報の始まりに戻す頭出し機能を有することによって、或いは、前記広告情報収納手段が、広告内容が異なり、かつ前記広告内容に対し各々広告時間の異なる複数の広告情報を収納することによって、或いは、客が前記広告内容を選択する客広告選択手段を備え、前記広告情報選択手段が前記客広告選択手段の選択に従って前記広告内容を選択可能とすることによって、或いは、雨天時に対応した内容が納められた雨天対応広告情報および雨天検出手段を備え、前記広告情報選択手段が、雨天時または雨天後設定時間内は、前記雨天対応広告情報を指定順位に従って選択可能とすることによって、さらに、効果的に達成される。
【０００８】
【発明の実施の形態】
本発明のポイントは客が選択する給油量或いは給油金額から給油時間を算出する一方、予め広告時間の異なる複数の広告情報を準備しておき、算出された給油時間に最も近い広告時間を有する広告情報を選択して流すことにある。
【０００９】
以下、図面に基づいて本発明の好適な実施例について詳細に説明する。
【００１０】
図１は本発明の給油装置のブロック図である。給油選択手段２から給油する油種を油種選択部２−１で選択し、給油量選択部２−２で給油量を選択し、満タン指定部２−３で満タンを指定し、給油金額選択部２−４で給油する量を金額で選択し、客広告選択手段２−５で聞きたい広告を選択し、これらの選択された指示信号が給油時間算出手段１０に入力される。給油開始終了検出手段３−１は、一例として、ノズル３の収納部に機械的開閉スイッチを取り付け、ノズル３を給油装置１の収納部から取り出したり、納めたりすることに対応して機械スイッチが開閉することにより、給油開始終了を検出する。この給油開始終了検出手段３−１の信号が給油時間算出手段１０と広告開始手段１４に入力される。給油時間算出手段１０の出力である給油時間Ｔｎおよび広告情報収納手段１２に収納されている広告情報内容が広告情報選択手段１３に入力される。このとき、広告情報選択手段１３に客広告選択手段２−５から選択信号が入力される場合もある。広告情報選択手段１３によって選択された広告情報および給油開始終了検出手段３−１の開始信号が広告開始手段１４に入力されて音声広告がスピーカ５で流される。この実施例では広告手段として音声による広告をあげているが、モニターを用いた視覚的広告をもちたり、併用してもよい。
【００１１】
図２は図１の給油時間算出手段の中の満タン平均給油時間算出の詳細な制御ブロック図である。満タン指定部２−３の指定信号と給油開始終了検出手段３−１の給油の開始および終了の信号をＡＮＤ部１５に入力して満タン指定時の給油時間Ｔを給油時間計測部１６で計測する。そして、この給油時間Ｔと油種選択部２−１の信号を入力とし、給油時間Ｔのデータに油種と月日とその日の何番目の満タン指示データかの識別符号を付ける。例えば、レギュラーガソリンで１月３０日で第１０番目であれば、Ｔｉ（Ｒ−１−３０−１０）等と識別符号を付ける。次に、このデータを給油時間記憶部１８で記憶させる。次に測定日から、一定期間の一例として３０日前迄のデータを給油時間記憶部１８から取り出して、その平均を平均時間算出部１９で算出する。つまり、レギュラーガソリンについて１月１日から１月３０日までの全データの給油時間の平均時間Ｔｆを算出する。つまり、Ｔｆ＝（Ｔｉ（Ｒ−１−１−１）＋・・・・＋Ｔｉ（Ｒ−１−３０−１０））／Ｎで算出する。なお、３０日以前のデータは必要ないので１２月３１日以前のデータを給油時間記憶部１８から消去すれば、メモリーの節約になる。
【００１２】
図３は広告情報収納手段１２の中を示すブロック図である。異なる広告時間の一例として、Ｔ１＝３０秒、Ｔ２＝６０秒、Ｔ３＝９０秒、Ｔ４＝１２０秒の４種類を用意する。また、広告の種類として、キャンペーン広告（タイヤ）、雨天時広告（ワイパー）、客選択広告の一例として、オイル、車検の２種類を用意しておく。当然のことであるが、それぞれの広告に対して、４種類の広告時間が用意されている。これらの広告情報は店舗で予め作成しておきメモリなどに記憶させ適宜取り出せるようにしておく。
【００１３】
図４は本発明のハード構成の一例を示す。広告制御部３０はＣＰＵ３１，ＲＯＭ３２，ＲＡＭ３３，タイマー３４および入力インターフェイス３５、出力インターフェイス３６などで構成される。出力インターフェイス３６の出力信号としてスピーカ５の音声信号がある。入力信号として、前述した給油選択手段２からの信号と雨天検出手段４０からの信号がある。雨天検出手段４０の一例として、降った雨を受ける容器を用意し、雨水の重さで機械接点が開閉する機械スイッチによって検出する。或いは、降った雨を受ける容器を用意し、受けた雨を地中に流し、その流れを感知して開閉する機械スイッチを用意することにより雨の降り始め、雨上がりを検出できる。さらに、雨天検出手段４０としては、湿度計や気圧計などを用いて、設定した値になったら雨天或いは雨天に近い曇りと見なすなどとして検出しても良い。
【００１４】
図５のフローチャートを用いて、図１、図２、図３及び図４で構成された手段や部の動作に付いて説明する。まず、客が油種を油種選択部２−１で、例えばレギュラーガソリンを選択する（ステップＳ１）。次に、給油量を給油量選択部２−２または満タン指定部２−３或いは給油金額選択部２−４で給油量または給油金額で指定する（ステップＳ２）。給油金額を選択するとレギュラーガソリンの単価（リットル／円）は決まっているので、給油量（リットル）＝給油金額／単価によって決定される。例えば、単価１００円／リットルなら給油金額１０００円では給油量１０リットルとなる。なお、油種によって単価は異なる（ステップＳ３）。
【００１５】
一方、初めから給油量で選択する場合は、満タンを指定する場合と具体的にリットル数、例えば１０リットルを指定する場合がある。具体的に１０リットルを指定した場合は、（ステップＳ５）で給油時間が算出できる。つまり給油装置１のレギュラーガソリンの給油スピードは装置性能として決定してあり、例えば２０リットル／分であれば給油時間Ｔｎは１０リットル／２０リットル／分から３０秒と算出できる。なお、油種によって給油スピードは異なるので、給油装置の仕様から給油スピードを決定しておき、それに応じて給油時間を算出する（ステップ６）。
【００１６】
満タン指定の場合は自動車の残存量によって給油時間Ｔｆが変動する。また、平均残存量は行楽シーズンや年末年始など運転機会が多く走行距離が長いなどの理由でも季節変動もあり、また地域、油種などによっても変動がある。よって、図２で説明した満タン平均給油時間算出手段１１で算出した当該日より前３０日間の平均の満タン平均給油時間Ｔｆを満タン指定時の給油時間に最も近い時間として使用する（ステップ６）。以上により、給油金額を選択した場合、給油量を選択した場合、満タンを指定した場合の給油時間Ｔｎ或いはＴｆが決定する。
【００１７】
次にステップ７で広告の種類を決定する。この優先順の指定はガソリンスタンド店舗の事情により任意に予め決定され、広告の種類は指定順位に従って自動的に選択される。例えば、雨天時でも、客が広告を選択しても、キャンペーン広告があれば、キャンペーン広告を最優先で流すように設定しておく。或いは、いかなる時も客の選択を最優先にする。或いは、雨天時は客の選択やキャンペーン広告より雨天対応広告を優先して流す。いずれの場合も、予め店舗側の設定した指定順位で広告情報の種類が選択される。なお、雨天であるかどうかは、雨天検出手段４０の信号によって、検知できる。また、雨天時は雨上がりの後に売れる商品、例えば洗車などがあるので、雨天検出手段４０から入力される雨が上がったとの信号およびタイマー３４を用いて、雨天後設定時間、例えば、２４時間は雨天時対応情報を優先してながす場合もある（ステップ７）。
【００１８】
次に、選択された種類の広告情報の中から、例えば、キャンペーン広告情報の中から、給油時間Ｔｎに最も近い広告時間の情報を選択する。その方法は、ΔＴ＝Ｔｎ（又はＴｆ）−Ｔｋ（ｋ＝１，２，３，４）を計算し、ΔＴの絶対値が最小となるＴｋの広告情報を選択する。例えば、給油時間Ｔｎが５０秒であれば、４種類の広告情報（Ｔ１，Ｔ２，Ｔ３，Ｔ４）の中から、広告時間が６０秒（Ｔ２）の情報がΔＴ＝１０秒でΔＴが最小となり、給油時間５０秒に広告時間６０秒が最も近いので広告情報（Ｔ２＝６０秒）を選択する（ステップＳ８）。
【００１９】
次に、客がノズル３を取外すと給油開始終了検出手段３−１の開始信号により選択された広告情報が流される（ステップ９）。
【００２０】
広告情報が終了すると、次回の広告のために、流した広告情報の指示ポイントを当該広告情報の先頭に戻しておき、次回選択された時、頭から広告が流されるように頭出し機能にしておく（ステップ１０）。
【００２１】
以上の実施例の説明では、広告手段の例としてスピーカを用いた例について説明したが、給油装置のコストは高くなるが、モニタ等を用いて画面表示と音声表示を組み合わせた広告を流しても良い。また、以上の実施例では、広告情報の時間の種類を４種類にして説明したが、給油時間となるべく差が無くなるように、さらに多くの時間種類を用意しても良い。また、以上の実施例では、広告制御部３０をソフトウエアで構成したが、ハードウエアで構成することも可能である。また、本実施例では、キャンペーン広告としてタイヤを例として説明したが、オイルや洗車、車検などを選定しても良いし、雨天時広告はワイパーだけでなくウインドウオッシャーなどを選定しても良い。つまり、キャンペーン広告、雨天時広告、客選択広告の内容は店舗側が自由に設定できる。
【００２２】
なお広告制御部３０は給油装置１に各々設置しても良いし、給油装置１がガソリンスタンドに複数ある場合などは、ガソリンスタンドの中央監視室の広告制御部３０で一括で複数の給油装置を制御しても良い。なお、この場合、給油開始終了検出手段３−１や給油選択手段２などは、複数ある給油装置１に各々に設置して、広告制御部３０に入力しなければならないことは言うまでもない。
【００２３】
【発明の効果】
以上に説明したように、本発明のセルフサービス給油装置によれば、給油量、或いは給油金額から給油時間を算出し、その給油時間に対応した広告時間の広告情報をながすので、広告が給油の途中で終了したり、あまりに早く終了したりせずに、給油時間に適合した広告をながせる効果が期待できる。また、顧客が好みの広告を選択できたり、雨天時に対応した広告をながせるので、顧客のニーズにあった広告をながすことができる効果がある。
【図面の簡単な説明】
【図１】本発明の主要部の構成を示すブロック図である。
【図２】本発明の満タン平均給油時間算出手段を示すブロック図である。
【図３】本発明の広告情報収納手段を示す図である。
【図４】本発明のハード構成を示す図である。
【図５】本発明の動作例を示すフローチャートである。
【図６】従来の給油装置を示す図である。
【図７】従来の給油装置の給油選択手段を示す図である。
【符号の説明】
１    給油装置
２    給油選択手段
２−１  油種選択部
２−２  給油量選択部
２−３  満タン指定部
２−４  給油金額選択部
２−５  客広告選択手段
３    ノズル
３−１    給油開始終了検出手段
４    自動車
５    スピーカ
１０  給油時間算出手段
１１  満タン平均給油時間算出手段
１２  広告情報収納手段
１３  広告情報選択手段
１４  広告開始手段
１５  ＡＮＤ部
１６  給油時間計測部
１７  給油時間データ識別符号付与部
１８  給油時間データ記憶部
１９  満タン平均給油時間算出部
３０  広告制御部
３１  ＣＰＵ
３２  ＲＯＭ
３３  ＲＡＭ
３４  タイマー
３５  入力インターフェイス
３６  出力インターフェイス
４０  雨天検出手段
【図１】
0003723799.tif 000002
【図２】
0003723799.tif 000003
【図３】
0003723799.tif 000004
【図４】
0003723799.tif 000005
【図５】
0003723799.tif 000006
【図６】
0003723799.tif 000007
【図７】
0003723799.tif 000008